(57)【要約】【目的】  本発明の目的は、組立が容易で且つ構成が簡単である安価な光マイクロホンを提供する。【構成】  発光源１０及び受光部２０の導光経路である複数の光ファイバを有する光ファイバ群４０と、光ファイバ群４０によって導かれた光を反射する反射面を有する振動膜５０とを具備し、光ファイバ群４０は、発光源１０から照射された光を振動膜５０に導く投光用の光ファイバ群４１と、振動膜５０によって反射された投光用の光ファイバ群４１からの光を受光部２０に導く受光用の光ファイバ群４２とを有しており、投光用の光ファイバ群４１と受光用の光ファイバ群４２とが一束になるよう束ねられている。【選択図】      図１
2005203954.tif 000002
【特許請求の範囲】
【請求項１】
発光源及び受光部の導光経路である複数の光ファイバを有する光ファイバ群と、光ファイバ群によって導かれた光を反射する反射面を有する振動膜とを具備しており、光ファイバ群は、発光源から照射された光を振動膜に導く投光用の光ファイバ群と、振動膜によって反射された投光用の光ファイバ群からの光を受光部に導く受光用の光ファイバ群とを有しており、投光用の光ファイバ群と受光用の光ファイバ群とが一束になるよう束ねられていることを特徴とする光マイクロホン。
【請求項２】
請求項１記載の光マイクロホンにおいて、光ファイバ群の少なくとも一方の端部は、投光用の光ファイバ群の外周を受光用の光ファイバ群で覆うように構成されており、振動膜に対向配置されていることを特徴とする光マイクロホン。
【請求項３】
請求項１記載の光マイクロホンにおいて、光ファイバ群の他方の端部は、投光用の光ファイバ群と受光用の光ファイバ群とが分岐されており、投光用の光ファイバ群が発光源に、受光用の光ファイバ群が受光部に対向配置されていることを特徴とする光マイクロホン。
【発明の詳細な説明】
【技術分野】
【０００１】
本発明は、マイクなどに使用される光マイクロホンに関する。
【背景技術】
【０００２】
この種の光マイクロホンとしては、発光源から放射された光を振動膜で反射し、その反射光を受光部で受光するもの( 特許文献１及び２参照) がある。
【０００３】
また、発光源から振動膜に、振動膜から受光部に光を導く導光経路として、光ファイバを使用することができる( 特許文献３参照) 。
【０００４】
【特許文献１】特開昭６３−３６０３００号公報
【特許文献２】特開２００１−１６９６９４号公報
【特許文献３】特開平０８−２９７０１１号公報
【発明の開示】
【発明が解決しようとする課題】
【０００５】
しかしながら、特許文献１及び２に記載された光マイクロホンは、マイクの筐体の内部に発光源が配設されているため、電気ノイズに弱くなるばかりか構成が複雑になるという問題を有している。
【０００６】
もっとも、これらの問題は、特許文献３の如く光ファイバを用いて発光源をマイクの筐体の外部に配設すれば、解決することが可能であるが、投光用の光ファイバから照射された光を受光用の光ファイバでうまく受光し得るように、当該投光用の光ファイバと当該受光用の光ファイバとを振動膜に対して精度良く配置しなければならない。しかも、光ファイバを配置した後、投光用、受光用の光ファイバの振動膜側の端部を精度良くカットする必要がある場合もある。このため、組立が非常に困難になり、コスト高になるという別の問題が生じる。
【０００７】
本発明は、上記事情に鑑みて創案されたものであって、その目的とするところは、組立が容易で且つ構成が簡単である安価な光マイクロホンを提供することにある。
【課題を解決するための手段】
【０００８】
上記課題を解決するために、本発明の光マイクロホンは、発光源及び受光部の導光経路である複数の光ファイバを有する光ファイバ群と、光ファイバ群によって導かれた光を反射する反射面を有する振動膜とを具備しており、光ファイバ群は、発光源から照射された光を振動膜に導く投光用の光ファイバ群と、振動膜によって反射された投光用の光ファイバ群からの光を受光部に導く受光用の光ファイバ群とを有しており、投光用の光ファイバ群と受光用の光ファイバ群とが一束になるよう束ねられていることを特徴としている。
【０００９】
光ファイバ群の少なくとも一方の端部は、投光用の光ファイバ群の外周を受光用の光ファイバ群で覆うように構成されており、振動膜に対向配置されていることが好ましい。
【００１０】
しかも、光ファイバ群の他方の端部は、投光用の光ファイバ群と受光用の光ファイバ群とが分岐されており、投光用の光ファイバ群が発光源に、受光用の光ファイバ群が受光部に対向配置されていることが好ましい。
【発明の効果】
【００１１】
本発明の請求項１に係る光マイクロホンによる場合、投光用の光ファイバ群と受光用の光ファイバ群とが予め一束になるよう束ねられている。よって、従来例のごとく投光用の光ファイバと、受光用の光ファイバとを精度良く配置する必要がなく、マイクの筐体内部に容易に配置することが可能である。即ち、光マイクロホンの組立が容易になり、低コスト化を図ることができる。しかも、発光源は、光ファイバ群によって、マイクの筐体の外部に配設することができるので、結果として構成の簡略化を図ることもでき、この点でも低コスト化を図ることができる。
【００１２】
本発明の請求項２に係る光マイクロホンによる場合、光ファイバ群の一方の端部が投光用の光ファイバ群の外周を受光用の光ファイバ群で覆うように構成されているので、当該光ファイバ群を振動膜に対向配置するだけで、投光用の光ファイバ群と受光用の光ファイバ群とが精度良く配置される。よって、当該光マイクロホンの組立が非常に簡単になる。
【００１３】
本発明の請求項３に係る光マイクロホンによる場合、光ファイバ群の他方の端部は投光用の光ファイバ群と受光用の光ファイバ群とが分岐されているので、当該光ファイバ群が束ねられた状態であるときに、発光源と受光部とが近接配置され、発光源の光が受光部に入ることにより生じる誤動作を防止することができる。
【発明を実施するための最良の形態】
【００１４】
以下、本発明の実施の形態に係る光マイクロホンについて図面を参照しながら説明する。図１は本発明の実施の形態に係る光マイクロホンの模式図、図２は光マイクロホンの光ファイバ群の端面を示した図であって、( ａ) が振動膜側の模式的端面図、( ｂ) が発光源側の模式的端面図、( ｃ) が受光部側の模式的端面図、図３は同光マイクロホンの光の伝送経路を示す模式図である。
【００１５】
図１に示す光マイクロホンは、発光源１０及び受光部２０の導光経路である複数の光ファイバを有する光ファイバ群４０と、光ファイバ群４０によって導かれた光を反射する反射面を有する振動膜５０とを具備している。以下、各部を詳しく説明する。
【００１６】
振動膜５０は、１〜６μｍのＰＥＴ( ポリエチレンテレフタレート) やＰＰＳ( ポリフェニレンサルファイド) 等の樹脂フィルムに、Ｔｉ（チタン) やＡｌ( アルミニウム) 等の金属を４０〜２００Ａ蒸着して構成されている。このように金属を蒸着することにより反射面として機能する。この振動膜５０はマイクの筐体１の内部に配設される。
【００１７】
発光源１０については発光ＬＥＤ、受光部２０については受光ＬＥＤを使用する。発光源１０及び受光部２０はマイクの筐体１の外部に配設される。受光部２０は信号処理回路３０に接続されている。
【００１８】
信号処理回路３０は受光部２０から入力された光信号を光電変換すると共に増幅して図示しない検出部に出力する構成となっている。検出部は入力された光信号を音声信号として検出するようになっている。
【００１９】
光ファイバ群４０は、発光源１０から照射された光を振動膜に導く投光用の光ファイバ群４１と、振動膜５０によって反射された投光用の光ファイバ群４０からの光を受光部２０に導く受光用の光ファイバ群４２とを有している。
【００２０】
投光用の光ファイバ群４１については、図２に示すように、径の太さが３０μｍ〜２５０μｍのガラスファイバ( 例えば、多成分石英ファイバ) を使用し、この光ファイバが１〜数百本束ねられて構成されている。この投光用の光ファイバ群４１の径の太さは３０μｍ〜１ｍｍとする。
【００２１】
一方、受光用の光ファイバ群４２については、図２の( ａ) に示すように、径の太さが３０μｍ〜２５０μｍのガラスファイバ( 例えば、多成分石英ファイバ) を使用し、この複数本の光ファイバで投光用の光ファイバ群４１の外周を覆うように構成されている。このようにして投光用の光ファイバ群４１と受光用の光ファイバ群４２とが一束になるよう束ねられているのである。この受光用の光ファイバ群４２の径の太さは９０μｍ〜１ｍｍとする。
【００２２】
この投光用の光ファイバ群４１及び受光用の光ファイバ群４２の一方の端部は、図１に示すように、マイク筐体１に導かれて、振動膜５０に対向配置される。投光用の光ファイバ群４１及び受光用の光ファイバ群４２の他方の端部は、スプリッタ６０によって分岐され、投光用の光ファイバ群４１が発光源１０に、受光用の光ファイバ群４２が受光部２０に対向配置される( 図２の( ｂ) 及び( ｃ) も参照) 。
【００２３】
このように構成された光マイクロホンは、発光源１０から光が照射されると、図３に示すように、この光は投光用の光ファイバ群４１によって、振動膜５０に導かれる。そして、当該光は振動膜５０によって受光用の光ファイバ群４２に向けて反射される。この反射光が受光用の光ファイバ群４２に入射し、当該受光用の光ファイバ群４２によって導かれ、受光部２０に受光される。そして、受光部２０から入力された光信号は信号処理回路３０によって光電変換されると共に、増幅され、前記検出部によって音声信号として検出される。
【００２４】
このとき、振動膜５０は、マイクに向かって発せられるユーザーの音声の音圧に応じて変位する。この振動膜５０の変位量に応じて受光用の光ファイバ群４２への入射光量が変化する。この入射光量の変化が音声を示す前記光信号の変化となる。
【００２５】
このような光マイクロホンによる場合、投光用の光ファイバ群４１と受光用の光ファイバ群４２とが一束になるように束ねられている。従って、このように束ねられた投光用の光ファイバ群４１と受光用の光ファイバ群４２とを振動膜５０に対向配置するだけで、投光用の光ファイバ群４１の光が受光用の光ファイバ群４２に入射するように配置することができる。このため、光マイクロホンの組立が容易になり、低コスト化を図ることができる。しかも、光ファイバ群４０によって、発光源１０がマイクの筐体１の外部に配設されているので、構成が簡単になり、この点でも低コスト化を図ることができる。
【００２６】
この光マイクロホンについては、発光源及び受光部の導光経路である複数の光ファイバを有する光ファイバ群と、光ファイバ群によって導かれた光を反射する反射面を有する振動膜とを具備しており、光ファイバ群は、発光源から照射された光を振動膜に導く投光用の光ファイバ群と、振動膜によって反射された投光用の光ファイバ群からの光を受光部に導く受光用の光ファイバ群とを有しており、投光用の光ファイバ群と受光用の光ファイバ群とが一束になるよう束ねられている限りどのような設計変形を行ってもかまわない。
【００２７】
従って、光ファイバ群４０については、ガラスファイバを使用するとしたが、同様の機能を実現できるものである限りどのようなものを用いてもかまわない。例えば、プラスチックファイバ等を使用することができる。
【００２８】
振動膜５０については、樹脂フィルムに金属が蒸着されたものを使用するとしたが、同様の機能を実現できるものである限りどのようなものを用いてもかまわない。例えば、ＴｉやＡｌ等の金属箔を使用することができる。
【産業上の利用可能性】
【００２９】
なお、本発明に係る光マイクロホンは、振動膜の変位に伴う光信号を読み取るセンサ、具体的には、距離測定センサや圧力センサに用いることが可能である。  
【図面の簡単な説明】
【００３０】
【図１】本発明の実施の形態に係る光マイクロホンの模式図である。
【図２】光マイクロホンの光ファイバ群の端面を示した図であって、( ａ) が振動膜側の模式的端面図、( ｂ) が発光源側の模式的端面図、( ｃ) が受光部側の模式的端面図である。
【図３】同光マイクロホンの光の伝送経路を示す模式図である。
【符号の説明】
【００３１】
１０  発光源
２０  受光部
３０  信号処理回路
４０  光ファイバ群
４１  投光用の光ファイバ群
４２  受光用の光ファイバ群
５０  振動膜
【図１】
2005203954.tif 000003
【図２】
2005203954.tif 000004
【図３】
2005203954.tif 000005